【手続補正書】
【提出日】平成18年1月4日(2006.1.4)
【手続補正１】
【補正対象書類名】明細書
【補正対象項目名】特許請求の範囲
【補正方法】変更
【補正の内容】
【特許請求の範囲】
【請求項１】  インクによって画像の記録された記録物の記録面に対し、画像の耐性を高めるための液体を転写する液体転写装置であって、
前記記録物の記録面を接触させることにより、前記記録物の記録面に前記液体を転写させる転写面を備えた液体転写部材を有し、
前記液体転写部材は、
前記液体を貯留する液体貯留部と、
前記液体貯留部内の液体を制限しつつ前記転写面に供給する微細な孔または前記転写面自体を形成する多孔質膜を含む規制部材とを備え、
前記液体を貯留する液体貯留部と前記規制部材とが非固着状態で重ね合わせられ、各々が独立して変形可能であることを特徴とする液体転写装置。
【請求項２】  前記液体転写部材は、更に前記液体貯留部を支持する支持部材を備え、
前記液体を貯留する液体貯留部は、前記規制部材と支持部材とにより挟持される請求項１記載の液体転写装置。
【請求項３】  前記液体転写部材は、更に前記転写面を囲繞すると共に、前記転写面の周縁において前記規制部材及び前記支持部材と固着される枠体を備える請求項２記載の液体転写装置。
【請求項４】  前記枠体部と前記支持部材との固着部は、前記枠体と前記規制部材との固着部を囲繞する位置沿って形成される請求項３記載の液体転写装置。
【請求項５】  前記枠体部と規制部材との固着部は、前記枠体部と規制部材との間に挟持される請求項３または４記載の液体転写装置。
【請求項６】  前記枠体部と規制部材とは、前記枠体と前記規制部材との固着部を囲繞する位置の少なくとも一部において非固着状態にあり、その非固着状態にある部分により、前記枠体と支持部材と規制部材とにより形成される空間を外部に連通させる請求項４または５に記載の液体転写装置。
【請求項７】  前記液体貯留部は、互いに重ね合わせられた複数の液体貯留部からなる請求項１ないし５のいずれかに記載の液体転写装置。
【請求項８】  前記支持部材は、前記複数の液体貯留部により挟持されると共に、前記複数の液体貯留部は、液体の授受が可能である請求項７に記載の液体転写装置。
【請求項９】  インクによって画像の記録された記録物の記録面に対し、画像の耐性を高めるための液体を転写する液体転写装置であって、
前記液体を貯留する液体貯留部と、
前記液体貯留部内の液体を制限しつつ前記転写面に供給する微細な孔または前記転写面自体を形成する多孔質膜を含む規制部材とを備え、
前記液体を貯留する液体貯留部と前記規制部材とが非固着状態で重ね合わせられ、各々が独立して変形可能である液体転写装置を用い、
前記転写面に前記記録物の記録面を接触させるよう載置することによって、前記規制部材を介して供給される液体を転写させることを特徴とする液体転写装置。
【手続補正２】
【補正対象書類名】明細書
【補正対象項目名】００１４
【補正方法】変更
【補正の内容】
【００１４】
すなわち、本発明の第１の形態は、インクによって画像の記録された記録物の記録面に対し、画像の耐性を高めるための液体を転写する液体転写装置であって、前記記録物の記録面を接触させることにより、前記記録物の記録面に前記液体を転写させる転写面を備えた液体転写部材を有し、前記液体転写部材は、前記液体を貯留する液体貯留部と、前記液体貯留部内の液体を制限しつつ前記転写面に供給する微細な孔または前記転写面自体を形成する多孔質膜を含む規制部材とを備え、前記液体を貯留する液体貯留部と前記規制部材とが非固着状態で重ね合わせられ、各々が独立して変形可能であることを特徴とするものである。
本発明の第２の形態は、インクによって画像の記録された記録物の記録面に対し、画像の耐性を高めるための液体を転写する液体転写装置であって、前記液体を貯留する液体貯留部と、前記液体貯留部内の液体を制限しつつ前記転写面に供給する微細な孔または前記転写面自体を形成する多孔質膜を含む規制部材とを備え、前記液体を貯留する液体貯留部と前記規制部材とが非固着状態で重ね合わせられ、各々が独立して変形可能である液体転写装置を用い、前記転写面に前記記録物の記録面を接触させるよう載置することによって、前記規制部材を介して供給される液体を転写させることを特徴とする。
【手続補正３】
【補正対象書類名】明細書
【補正対象項目名】００２３
【補正方法】変更
【補正の内容】
【００２３】
バインダーとして好適に使用されているものには水溶性高分子やラテックスを挙げることができる。例えば、ポリビニルアルコールまたはその変性体、澱粉またはその変性体、ゼラチンまたはその変性体、アラビアゴム、カルボキシメチルセルロース、ヒドロキシエチルセルロース、ヒドロキシプロオイルメチルセルロースなどのセルロース誘導体、ＳＢＲラテックス、ＮＢＲラテックス、官能基変性重合体ラテックス、エチレン酢酸ビニル共重合体などのビニル系共重合体ラテックス、ポリビニルピロリドン、無水マレイン酸またはその共重合体、アクリル酸エステル共重合体などが使用される。これらは必要に応じて２種以上を組み合せて用いることができる。その他、添加剤を使用することもでき、例えば、必要に応じて分散剤、増粘剤、ｐＨ調整剤、潤滑剤、流動性変性剤、界面活性剤、消泡剤、離型剤、蛍光増白剤、紫外線吸収剤、酸化防止剤などが使用される。
【手続補正４】
【補正対象書類名】明細書
【補正対象項目名】００３１
【補正方法】変更
【補正の内容】
【００３１】
保護用の液体としては、例えば脂肪酸エステル、シリコーンオイル、変性シリコーン及びフッ素系オイルから選択された少なくとも１種を利用することができる。特に、記録媒体の細孔分布や細孔サイズに対して、拡散均一化するものが好ましく、記録されている色材の存在領域（二次元、三次元）を全体的に覆うものが良い。
【手続補正５】
【補正対象書類名】明細書
【補正対象項目名】００４８
【補正方法】変更
【補正の内容】
【００４８】
次に、上記構成を有する液体転写装置１００の製造工程を、図５に基づき説明する。
まず、支持部材３の上面に液体貯留部１の第２層１Ｂを位置決めして載置し、その上面及び側面を多孔質膜２によって覆って重ね合わせる。前述のように多孔質膜２は前記第２層１Ｂの上面及び側面の合計面積より大きな寸法形状をなしているため、第２層１Ｂを覆った状態で、側方に余剰部分が形成され、その余剰部分を図５（ａ）の一点鎖線に示すように支持部材３上に屈曲させ、これを取付部２ａとする。この後、この多孔質膜２で覆われた第２層１Ｂに枠体４の開口部へと嵌合させる。これにより、枠体４の下面と支持部材３の周縁部上面との間に多孔質膜２の取付部２ａが位置することとなる。
【手続補正６】
【補正対象書類名】明細書
【補正対象項目名】００５１
【補正方法】変更
【補正の内容】
【００５１】
次に、カバー体２０の底部２０Ａの中に液体貯留部１の第１層１Ａを収容し、その上方から前述のユニット１０Ａを載置し、底部２０Ａの開口部端縁２０Ａ１と枠体４の周縁部との重ね合わせ部分、すなわち、前記溶着部Ｗ２のさらに外方を囲繞する部分をインパルス溶着によって溶着する。これにより、ユニット１０Ａとカバー体２０とが一体的に固定されると共に、底部２０Ａとユニット１０Ａとの間に液体貯留部１の第１層１Ａが挟持され、さらに溶着部Ｗ３によってその内部が密封された状態となり、以上によって液体転写装置１００が構成される。
【手続補正７】
【補正対象書類名】明細書
【補正対象項目名】００５４
【補正方法】変更
【補正の内容】
【００５４】
そして、使用に際しては、蓋体部２０Ｂを開き、枠体４の開口部から露出している多孔質膜２の上面である転写面上に、記録面が接触するよう記録物を載置し、その後、蓋体部２０Ｂを閉じて記録物ＭＰの上方を覆う。そして、蓋体部２０Ｂの外面にへらＴを押し当てながら数回往復移動させ、記録物ＭＰの記録面を多孔質膜２に密着させる（図７（ａ）参照）。
【手続補正８】
【補正対象書類名】明細書
【補正対象項目名】００７６
【補正方法】削除
【補正の内容】
【手続補正９】
【補正対象書類名】明細書
【補正対象項目名】００７７
【補正方法】削除
【補正の内容】
【手続補正１０】
【補正対象書類名】明細書
【補正対象項目名】００７８
【補正方法】削除
【補正の内容】
【手続補正１１】
【補正対象書類名】明細書
【補正対象項目名】００７９
【補正方法】削除
【補正の内容】
【手続補正１２】
【補正対象書類名】明細書
【補正対象項目名】００８０
【補正方法】削除
【補正の内容】
【手続補正１３】
【補正対象書類名】明細書
【補正対象項目名】００８１
【補正方法】削除
【補正の内容】
【手続補正１４】
【補正対象書類名】明細書
【補正対象項目名】００８２
【補正方法】削除
【補正の内容】
【手続補正１５】
【補正対象書類名】明細書
【補正対象項目名】００８３
【補正方法】削除
【補正の内容】
【手続補正１６】
【補正対象書類名】明細書
【補正対象項目名】００８４
【補正方法】削除
【補正の内容】
【手続補正１７】
【補正対象書類名】明細書
【補正対象項目名】００８５
【補正方法】削除
【補正の内容】
【手続補正１８】
【補正対象書類名】明細書
【補正対象項目名】００８６
【補正方法】削除
【補正の内容】
【手続補正１９】
【補正対象書類名】明細書
【補正対象項目名】００８７
【補正方法】削除
【補正の内容】
【手続補正２０】
【補正対象書類名】明細書
【補正対象項目名】００８８
【補正方法】削除
【補正の内容】
【手続補正２１】
【補正対象書類名】明細書
【補正対象項目名】００８９
【補正方法】削除
【補正の内容】
【手続補正２２】
【補正対象書類名】明細書
【補正対象項目名】００９０
【補正方法】削除
【補正の内容】
【手続補正２３】
【補正対象書類名】明細書
【補正対象項目名】００９１
【補正方法】削除
【補正の内容】